(57)【要約】【課題】本体ケースの上面と回動体との隙間から、異物が入ることを抑制する支持台を提供することを目的とする。【解決手段】送風機２を支持する支持台１であって、支持台１は、モータ２１を備えた本体ケース３と、本体ケース３の上にモータ２１によって回動する回動体４とを備えている。回動体４の周縁下端部３０は、本体ケース３の上面１３との間に隙間３３を有している。本体ケース３の上面１３には、上方へ延びる遮蔽リブ３１を設け、遮蔽リブ３１は、回動体４の周縁下端部３０より内方に配置され、遮蔽リブ３１の上端部３４は、回動体４の周縁下端部３０より上方に位置する。【選択図】図６
2017172360.tif 000002
【特許請求の範囲】
【請求項１】
送風機を支持する支持台であって、
前記支持台は、
モータを備えた本体ケースと、
前記本体ケースの上に前記モータによって回動する回動体とを備え、
前記回動体の周縁下端部は、
前記本体ケースの上面との間に隙間を有し、
前記本体ケースの前記上面には、
上方へ延びる遮蔽リブを設け、
前記遮蔽リブは、
前記回動体の前記周縁下端部より内方に配置され、
前記遮蔽リブの上端部は、
前記回動体の前記周縁下端部より上方に位置することを特徴とする支持台。
【請求項２】
前記本体ケースは、
外方に延びる電源コードを備え、
前記電源コードは、
前記モータと電気的に接続され、
前記回動体の周縁下端部と前記本体ケースの上面との前記隙間は、
前記電源コードの厚みより小さいことを特徴とする請求項１に記載の支持台。
【請求項３】
前記回動体の周縁下端部の下方には、
前記本体ケースの前記上面と側面とが連結する周縁角部を備え、
前記周縁角部が面取り加工されたことを特徴とする請求項１または２に記載の支持台。
【請求項４】
前記回動体は、
上方に開口した椀形状で、
前記回動体の底面または横面には、
少なくとも１つの開口を設け、
前記開口は、前記回動体の周縁下端部と前記本体ケースの上面との前記隙間と連通していることを特徴とする請求項１から３のいずれかに記載の支持台。
【請求項５】
複数の前記開口は、
前記回動体における周縁寄りに配置されたことを特徴とする請求項４に記載の支持台。
【発明の詳細な説明】
【技術分野】
【０００１】
本発明は、例えば、送風により清涼感を与えたり空間内の空気循環を促したりする送風機を支持する支持台に関するものである。
【背景技術】
【０００２】
従来この種の支持台は、支持台の上に送風機が置かれ、支持台の回動により送風機が回動し送風方向を変えるものが知られていた（例えば特許文献１参照）。
【０００３】
支持台は、モータを備えた本体ケースと、本体ケースの上方にモータによって回動する回動体とを備えている。回動体の上部には、球形の送風機を備えていた。
【先行技術文献】
【特許文献】
【０００４】
【特許文献１】特開２０１５−１７５３０９号公報
【発明の概要】
【発明が解決しようとする課題】
【０００５】
このような従来の支持台においては、本体ケースの上面と回動体との間には、回動体が回動するために隙間を備えていた。この隙間から、異物が入り、本体ケースの上面と回動体の底面との間に異物が挟まり、回動体が回動しなくなるという課題を有していた。
【０００６】
そこで本発明は、本体ケースの上面と回動体との隙間から、本体ケースの上面と回動体の底面との間に異物が入ることを抑制する支持台を提供することを目的とする。
【課題を解決するための手段】
【０００７】
上述の目的を達成するために、本発明は、送風機を支持する支持台であって、前記支持台は、モータを備えた本体ケースと、前記本体ケースの上に前記モータによって回動する回動体とを備え、前記回動体の周縁下端部は、前記本体ケースの上面との間に隙間を有し、前記本体ケースの前記上面には、上方へ延びる遮蔽リブを設け、前記遮蔽リブは、前記回動体の前記周縁下端部より内方に配置され、前記遮蔽リブの上端部は、前記回動体の前記周縁下端部より上方に位置し、これにより所期の目的を達成するものである。
【発明の効果】
【０００８】
本発明に係る送風装置によれば、送風機を支持する支持台であって、前記支持台は、モータを備えた本体ケースと、前記本体ケースの上に前記モータによって回動する回動体とを備え、前記回動体の周縁下端部は、前記本体ケースの上面との間に隙間を有し、前記本体ケースの前記上面には、上方へ延びる遮蔽リブを設け、前記遮蔽リブは、前記回動体の前記周縁下端部より内方に配置され、前記遮蔽リブの上端部は、前記回動体の前記周縁下端部より上方に位置するものである。
【０００９】
これにより、回動体の周縁下端部と本体ケースの上面との間の隙間から異物が入った場合に、本体ケースの上面から上方へ延びる遮蔽リブによって、遮蔽リブより内方へ異物が入ることを抑制できる。
【図面の簡単な説明】
【００１０】
【図１】本発明の実施の形態１に係る送風機と支持台の外観図
【図２】同支持台の外観図
【図３】同支持台の断面図
【図４】同支持台の分解図
【図５】同支持台の断面図
【図６】同支持台の上部の断面図
【発明を実施するための形態】
【００１１】
（実施の形態１）
以下、添付図面を参照して、本発明の実施の形態につき説明し、本発明の理解に供する。
【００１２】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１３】
以下、本発明の実施の形態１に係る支持台について説明する。
【００１４】
図１は、本発明の実施の形態１に係る送風機と支持台の外観図である。図２は、本発明の実施の形態１に係る支持台の外観図である。
【００１５】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１６】
図３は、本発明の実施の形態１に係る支持台の断面図である。図４は、本発明の実施の形態１に係る支持台の分解図である。
【００１７】
図３、４に示すように、回動体４は、送風機２を支持する支持部５と、支持部の下部に固定された摺動部６とを備えている。
【００１８】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００１９】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００２０】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２１】
上面開口１４には、円環形状のベアリング１５が、回転軸が上下方向となるように固定されている。ベアリング１５内には、回動体４の摺動部６から延びた軸部１２が嵌り、回動体４が本体ケース３の下面と平行した面に対して回動自在に支持される。
【００２２】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００２３】
図５は、本発明の実施の形態１に係る支持台の断面図である。
【００２４】
図３、５に示すように、本体ケース３内には、基板部１９と、モータ２１と、第１の歯車２２と、第２の歯車２３とを備えている。
【００２５】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００２６】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００２７】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００２８】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００２９】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００３０】
図６は、本発明の実施の形態１に係る支持台の上部の断面図である。
【００３１】
本実施の形態における特徴は、回動体４の周縁下端部３０と、本体ケース３の上面１３から上方へ延びる遮蔽リブ３１との位置関係である。具体的には、図６に示すように、回動体４の周縁下端部３０とは、回動体４における側面の下端である。回動体４の周縁下端部３０は、本体ケース３の上面１３との間に隙間３３を有している。そして、本体ケース３の上面１３には、上方へ延びる円筒形状の遮蔽リブ３１を設けている。この遮蔽リブ３１は、回動体４の周縁下端部３０より内方に配置され、本体ケース３と一体に形成されている。そして、遮蔽リブ３１の上端部３４は、回動体４の周縁下端部３０より上方に位置する点である。
【００３２】
これにより、回動体４の周縁下端部３０と本体ケース３の上面１３との間の隙間３３から、ほこりや水等の異物が入ろうとしても、遮蔽リブ３１によって浸入を防ぐことが出来る。
【００３３】
また、図４、６に示すように、本体ケース３は、外方に延びる電源コード２０を備え、この電源コード２０は、モータ２１と電気的に接続されている。回動体４の周縁下端部３０と本体ケース３の上面１３との隙間３３は、電源コード２０の厚みより小さい。
【００３４】
これにより、回動体４が回動している時に、回動体４の周縁下端部３０と本体ケース３の上面１３との間の隙間３３に電源コード２０を挟み込み、回動体４がロックしたり、電源コード２０を傷つけることを抑制する。
【００３５】
また、回動体４の周縁下端部３０の下方には、本体ケース３の上面１３と側面３５とが連結する部分である周縁角部３６を備え、この周縁角部３６が面取り加工されている。具体的には、面取り加工の一例は、周縁角部３６を曲面、またはＣ面に加工することである。
【００３６】
このように、回動体４の周縁下端部３０と本体ケース３の上面１３との間の隙間３３の下部である周縁角部３６が、面取り加工されている。つまり、周縁角部３６は、本体ケース３における外方へ向かうにつれて下っているので、ほこりや水等の異物が入ろうとしても、外側下方へ落ち易くなる。また、回動体４が傾いた場合に、隙間３３の間隔が均一でなくなるが、周縁角部３６が面取り加工されていると目立ち難い。
【００３７】
また、回動体４は、上方に開口した椀形状で、回動体４である支持部５の底面または横面には、少なくとも１つの開口３７を設けている。この開口３７は、回動体４の周縁下端部３０と本体ケース３の上面との隙間３３と連通している。
【００３８】
これにより、送風機２を支持台１の上に置いた場合、送風機２の空気吸込口（図示せず）が、回動体４の支持部５の凸部８内に位置すると、送風機２が空気吸込口から吸い込む空気を、開口３７を介して吸い込むことが出来るので、回動体４の支持部５の凸部８を切り欠いて吸い込み口を設ける必要が無くなる。
【００３９】
また、回動体４である支持部５の底面の開口３７は、回動体４における周縁寄りに配置されている。
【００４０】
これにより、開口３７は、回動体４の周縁下端部３０と本体ケース３の上面１３との隙間３３と連通しており、開口３７と、回動体４の周縁下端部３０と本体ケース３の上面１３との隙間３３までの距離が短くなる。結果として、送風機２の空気吸込口が、回動体４の支持部５の凸部内に位置する場合に、風路抵抗が小さくなり、風量の低減を抑制できる。
【産業上の利用可能性】
【００４１】
送風により清涼感を与えたり空間内の空気循環を促したりする送風機の支持台として有用である。
【符号の説明】
【００４２】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口
１７    スイッチ
１８    つまみ部
１９    基板部
２０    電源コード
２１    モータ
２２    第１の歯車
２３    第２の歯車
２４    スイッチシャフト
２５    回転軸
２６    中継コード
３０    周縁下端部
３１    遮蔽リブ
３３    隙間
３４    上端部
３５    側面
３６    周縁角部
３７    開口
【図１】
2017172360.tif 000003
【図２】
2017172360.tif 000004
【図３】
2017172360.tif 000005
【図４】
2017172360.tif 000006
【図５】
2017172360.tif 000007
【図６】
2017172360.tif 000008